【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
椅子の制御組立体であって：
第１の回動点を有する上側部分、及び、該上側部分の下に位置するとともに前記第１の回動点から離間した第２の回動点を有する下側部分を画定するベース構造体であって、接地当接ベース支持構造体に取り付けられるよう構成されている、ベース構造体；
前記第１の回動点を中心に回転するように前記ベース構造体の前記上側部分に回動可能に連結される前部、及び、該前部の後方に位置する後部を有する座部支持構造体であって、着座した使用者を支持するようになっている、座部支持構造体；
前記第２の回動点を中心に回転するように前記ベース構造体の前記下側部分に回動可能に連結される前部、及び、該前部の後方に位置する後部を有する背もたれ支持構造体であって、第１の位置と第２の位置との間で移動するようになっている、背もたれ支持構造体；並びに
第３の回動点を中心に回転するように前記座部支持構造体の前記後部に回動可能に連結される第１の端、及び、第４の回動点を中心に回転するように前記背もたれ支持構造体の前記後部に回動可能に連結される第２の端を有する、制御リンク
を備える、椅子の制御組立体。
【請求項２】
前記第３の回動点は前記第２の回動点よりも高い垂直高さに位置する、請求項１に記載の制御組立体。
【請求項３】
前記第３の回動点は、前記背もたれ支持構造体が前記第１の位置にあるときは、前記第４の回動点よりも高い垂直高さに位置する、請求項１又は２に記載の制御組立体。
【請求項４】
前記第３の回動点は、前記背もたれ支持構造体が前記第２の位置にあるときは、前記第４の回動点よりも高い垂直高さに位置する、請求項１〜３のいずれか一項に記載の制御組立体。
【請求項５】
前記第１の回動点と前記第２の回動点との間の距離は、前記第３の回動点と前記第４の回動点との間の距離よりも大きい、請求項１〜４のいずれか一項に記載の制御組立体。
【請求項６】
前記背もたれ支持構造体を前記第２の位置から前記第１の位置に向かって付勢する付勢力を加える少なくとも１つの付勢組立体を更に備える、請求項１〜５のいずれか一項に記載の制御組立体。
【請求項７】
前記付勢力は、前記背もたれ支持構造体が前記第１の位置にあるときに種々の大きさの間で調整可能である、請求項６に記載の制御組立体。
【請求項８】
前記付勢力は、前記第３の回動点を前記第２の回動点に向かって付勢する、請求項６又は７に記載の制御組立体。
【請求項９】
椅子の制御組立体であって：
第１の回動点、及び、該第１の回動点から離間した第２の回動点を画定するベース構造体であって、接地当接ベース支持構造体に取り付けられるようになっている、ベース構造体；
前記第１の回動点に回動可能に連結される座部支持構造体であって、着座した使用者を支持するようになっている、座部支持構造体；
前記第２の回動点に回動可能に連結される背もたれ支持構造体であって、第１の位置と第２の位置との間で移動するようになっており、前記ベース構造体は、該背もたれ支持構造体が前記第１の位置と前記第２の位置との間で移動するときに移動しない、背もたれ支持構造体；並びに
第３の回動点を中心に回転するように前記座部支持構造体の前記後部に回動可能に連結され、第４の回動点を中心に回転するように前記背もたれ支持構造体に回動可能に連結される、制御リンク
を備え、
前記第１の回動点と前記第２の回動点との間の距離は、前記第３の回動点と前記第４の回動点との間の距離よりも大きく、
前記第１の回動点は前記第２の回動点よりも高い垂直高さに位置する、椅子の制御組立体。
【請求項１０】
前記第３の回動点は第１の垂直高さに位置し、前記第２の回動点は第２の垂直高さに位置し、前記第１の垂直高さは前記第２の垂直高さよりも高い、請求項９に記載の制御組立体。
【請求項１１】
前記背もたれ支持構造体を前記第２の位置から前記第１の位置に向かって付勢する付勢力を加える少なくとも１つの付勢組立体を更に備える、請求項９又は１０に記載の制御組立体。
【請求項１２】
前記付勢力は、前記背もたれ支持構造体が前記第１の位置にあるときに種々の大きさの間で調整可能である、請求項１１に記載の制御組立体。
【請求項１３】
前記付勢力は、前記第３の回動点を前記第２の回動点に向かって付勢する、請求項１１又は１２に記載の制御組立体。
【請求項１４】
前記背もたれ支持構造体の移動は、前記第１の位置と前記第２の位置との間の回転移動を含む、請求項９〜１３のいずれか一項に記載の制御組立体。
【請求項１５】
前記制御リンクは、前記背もたれ支持構造体が前記第１の位置と前記第２の位置との間で回転するときに、該背もたれ支持構造体の回転の速さよりも遅い回転の速さで前記座部支持構造体を回転させる、請求項９〜１４のいずれか一項に記載の制御組立体。
【請求項１６】
前記座部支持構造体の前記回転の速さは、前記背もたれ支持構造体が前記第１の位置と前記第２の位置との間で回転するときの該背もたれ支持構造体の前記回転の速さの約半分である、請求項１５に記載の制御組立体。
【請求項１７】
前記座部支持構造体は、前記背もたれ支持構造体が該第１の位置にあるときに、前記背もたれ支持構造体が前記第１の位置から約１８°回転すると、該座部支持構造体の位置から約９°回転する、請求項１５又は１６に記載の制御組立体。
【請求項１８】
前記制御リンクは長手方向に延びる軸を含み、該制御リンクの該長手方向の軸は、前記背もたれ支持構造体が前記第１の位置にあるときよりも前記背もたれ支持構造体が前記第２の位置にあるときに実質的により鉛直な向きである、請求項９〜１７のいずれか一項に記載の制御組立体。
【請求項１９】
前記制御リンクは、前記背もたれ支持構造体が前記第１の位置にあるときは前記座部支持構造体の座部支持面と第１の鋭角を、及び、前記背もたれ支持構造体が前記第２の位置にあるときは前記座部支持構造体と第２の鋭角を形成する長手方向に延びる軸を含み、前記制御リンクの軸は、前記背もたれ支持構造体が前記第１の位置と前記第２の位置との間で移動するときに前記座部支持面と鈍角を形成しない、請求項９〜１７のいずれか一項に記載の制御組立体。
【請求項２０】
前記第４の回動点は前記背もたれ支持構造体に対して固定されている、請求項１に記載の制御組立体。
【手続補正２】
【補正対象書類名】明細書
【補正対象項目名】００１７
【補正方法】変更
【補正の内容】
【００１７】
図７及び図８に最も良く示されているように、柔軟で弾性の座部シェル４０ａ及び生地座部カバー７２ａは、椅子カバー組立体又はカバー１００ａを形成するように協働する。具体的には、座部シェル４０ａの側縁４３ａ及び座部カバー７２ａの側縁７７ａ、座部シェル４０ａの前縁４５ａ及び座部カバー７２ａの前縁７３ａ、並びに、座部シェル４０ａの後縁４７ａ及び座部カバー７２ａの後縁７５ａは、互いにそれぞれ取り付けられ、カバー１００ａを形成し、内部に内部スペース１０２ａを画定する。
【手続補正３】
【補正対象書類名】明細書
【補正対象項目名】００９０
【補正方法】変更
【補正の内容】
【００９０】
組み立てにおいて、支持プレート９６６がアームレストハウジング組立体９６２にわたって位置決めされ、スライダハウジング９７２が支持プレート９６６の上に位置決めされ、それによって、平面的な部分９７４の底面１００６が支持プレート９６６の上面１００８に、回転的及び直線的な調整部材９８０がスライダハウジング９７２の側壁９７８と端壁９８１との間に摩擦当接し、それによって、回転的及び直線的な調整部材の底面９８６が、スライダハウジング９７２の平面的な部分９７４に摩擦係合し、回転選択部材９９４が回転的及び直線的な調整部材９８０の上にある。リベット１０１０等の一対の機械的締結具が、回転選択部材９９４の孔９９９、回転的及び直線的な調整部材９８０の弓状形状の孔９９０、並びに、支持プレート９６６の孔９６９を通って延び、アームレストハウジング組立体９６２に螺合可能に固定されることで、支持プレート９６６、並びに、回転的及び直線的な調整部材９８０、並びに、回転選択部材９９４をアームレストハウジング９６２に対する直線移動に抗して固定する。次に、基材１００２及びアームパッド部材１００４がスライダハウジング９７２に固定される。上述した構成によって、スライダハウジング９７２、基材１００２及びアームパッド部材１００４が直線方向に摺動することが可能となり、それによって、アームレスト組立体８０４を後退位置Ｏと延長位置Ｐとの間で調整することができる。リベット１０１０は、支持プレート９６６並びに回転的及び直線的な調整部材９８０によってスライダハウジング９７２に加えられるクランプ力を調整するように調整されることができる。基材１００２は、一対の長手方向に延びる側壁（図示せず）を有する、中央に位置する上方に延びる隆起部分１０２０及び対応する下方に配置される凹部を含む。各側壁は、前述したリブ９９１及びデテント９９３と同様に複数のリブ及びデテントを含む。動作時に、回動ボス９７０は、アームパッド１００４が直線方向に移動すると凹部のデテントに係合することで、使用者に触覚フィードバックを提供する。図示の例では、回動ボス９７０は、デテントに係合すると回動ボス９７０の端が弾性変形することを可能にするスロット１０２２を含むことで、回動ボス９７０の端に対する摩耗を低減する。回転的及び直線的な調整部材９８０の弓状形状の孔９９０は、調整部材９８０が支持プレート９６６の回動ボス９７０を中心に回動し、アームレスト組立体８０４を一列に並んだ位置Ｍと角度が付いた位置Ｎとの間で調整することを可能にする。動作時に、回転選択部材の各フィンガ９９８の係合部分１０００が、リブ９９１間に画定されるデテント９９２に選択的に係合することで、使用者がアームレスト組立体８０４を選択された回転位置に位置決めすることを可能にし、アームレスト組立体８０４が回転的に調整されるときに使用者に触覚フィードバックを提供する。
【手続補正４】
【補正対象書類名】明細書
【補正対象項目名】００９３
【補正方法】変更
【補正の内容】
【００９３】
上記の記載では、概念が開示されるときにそこから逸脱することなく、本明細書において開示されるような発明の概念を、車両の座席、スタジアムの座席、家の座席、劇場の座席等に適用するといったように、本発明の種々の構成要素及び要素の代替的な組み合わせ、並びに、本発明に対する変更を行うことができることが当業者には容易に理解されるであろう。そのような変更は、以下の特許請求の範囲においてそれらの文言によって別途明記されない限り、それらの特許請求の範囲に含まれるものとみなされるべきである。